(57)【要約】【課題】様々な目的に応じた異なるルールで楽しむことができ、広く人々の福祉向上に貢献するゲーム用機器を提供する。【解決手段】遊技用マット１は細長い長方形状をしており、長手方向の一方の端部を含む正方形の領域であるターゲット部１１上に９つの凹み部１２が設けられている。凹み部１２の各々は、その上にゴルフボールを静止状態で保持可能であるが、凹み部１２に後から転がり込んできたゴルフボールによって、先に凹み部１２に入っていたゴルフボールがはじき出される程度の深さである。また、ターゲット部１１の、凹み部１２の外周の外側を囲むドーナツ形状の領域には、凹み部１２の中心に向けて下がる方向に傾斜した勾配部１１２が設けられており、ゴルフボールが転がり入りやすく、また転がり出やすくなっている。【選択図】図１
2011036512.tif 000002
【特許請求の範囲】
【請求項１】
床面上に配置された状態で、上面から床面方向に向かう凹みを形成する凹み部を複数有する遊技用マットであって、
前記複数の凹み部の各々は、当該凹み部の上に所定の特性を備えたボールを静止状態で保持可能であり、かつ当該凹み部の上に静止状態で保持されている当該所定の特性を備えた一のボールが当該所定の特性を備え当該遊技用マット上を所定速度以上で転がり移動している他のボールと衝突した場合、当該一のボールが当該他のボールから受ける力により当該一のボールが当該凹み部の外に転がり移動することを許容する形状を備える
遊技用マット。
【請求項２】
前記遊技用マットは上方からみて長方形であり、
前記複数の凹み部は、前記遊技用マットの長手方向の一方の端部を含む所定領域であるターゲット部上に配置され、
前記ターゲット部は、前記一方の端部から、前記遊技用マットの長手方向の他方の端部に向けて、床面に対しマイナスの勾配の傾斜を有する
請求項１に記載の遊技用マット。
【請求項３】
前記ターゲット部の傾斜の勾配を調整する勾配調整機構を備える
請求項２に記載の遊技用マット。
【請求項４】
前記遊技用マットの外縁部のうち前記ターゲット部の外縁部を構成する部分から上方に延伸し、前記遊技用マットの内側から外側に向けて前記所定の特性を備えたボールが所定の速度以下で転がり出ることを防止するガードを備える
請求項２または３に記載の遊技用マット。
【請求項５】
前記ターゲット部は、前記ターゲット部の外縁部のうち前記遊技用マットの外縁部の一部を構成する部分から前記ターゲット部の内側に向けて、床面に対しマイナスの勾配の傾斜を有する傾斜部を備える
請求項２乃至４のいずれかに記載の遊技用マット。
【請求項６】
前記複数の凹み部の各々に関し、当該凹み部の外周上端から、当該凹み部の中心から見て外側に向かいプラスの勾配で傾斜し、前記遊技用マットの上面と連続する勾配部を備える
請求項１乃至５のいずれかに記載の遊技用マット。
【請求項７】
前記複数の凹み部の数は９つであり、当該９つの凹み部の各々の中心は、互いに等間隔で配置された３本の平行線と、当該３本の平行線に対し垂直に交わる互いに等間隔で配置された他の３本の平行線との交点に各々配置されている
請求項１乃至６に記載の遊技用マット。
【請求項８】
前記遊技用マットの上面のうち、前記複数の凹み部を除く部分が、前記所定の特性を備えたボールが転がる速度を抑制するための人工芝またはラシャで覆われている
請求項１乃至７のいずれかに記載の遊技用マット。
【発明の詳細な説明】
【技術分野】
【０００１】
本発明は、特定の種類のゲームを行うために適した遊技用マットに関する。
【背景技術】
【０００２】
ゴルフやビリヤードというゲームは、一般に人気のあるスポーツもしくは競技であり、多くの人々に親しまれている。
【０００３】
しかし、ゴルフは、昼夜、季節もしくは天候に影響を受けるスポーツであり、さらにプレーヤーは健康かつ一定年齢層の人々に限られるのが通常である。また、ビリヤードは、ゴルフのように天候等の影響を受けることはないが、一般に高度の技術を必要とし、さらにボールを撞く位置が千変万化するために頻繁に移動しながらプレイするだけの体力が必要となる。
【０００４】
一方、障害者もしくはあまり健康ではない人々のためのレクリエーションとして、日本において２０世紀後半以降にいわゆるニュースポーツと呼ばれるスポーツ群が考案もしくは紹介されるようになってきた。
【０００５】
そのようなニュースポーツの一例としては、囲碁ボール（登録商標）と呼ばれるものがある。この囲碁ボールは、囲碁の碁盤の交点の位置に凹みが設けられた専用マット上において、白もしくは黒のボールを一定の距離から交互に打って五目並べの要領でいかに同じ色のボールを並べられるかを競うスポーツである。
【０００６】
また、特許文献１には、カーリングに似たニュースポーツに用いられる「カーリング様遊技具」が開示されている。
【先行技術文献】
【特許文献】
【０００７】
【特許文献１】特開２０００−３１７０２７号公報
【発明の概要】
【発明が解決しようとする課題】
【０００８】
本発明の発明者は、「誰でも楽しむことができるレクリエーション」というニュースポーツの趣旨に共感し、鋭意検討を行って以下のような課題を解決しようと試みた。
【０００９】
すなわち、昼夜、季節もしくは天候に影響を受けないように屋内でプレイでき、車椅子の利用者や立ったままプレイを行うのが困難な人でもできるゲームおよび当該ゲーム用機器を開発することはできないだろうか。また、１人から複数人まで、個人戦もしくは団体戦で楽しめ、家族、友達、会社仲間等の人間同士のふれあいを深めるゲームおよび当該ゲーム用機器を開発することはできないだろうか。また、頭脳を働かせることにより人間の持つ感覚を養うことができ、さらには勝負意識や技術検定を視野に目標を持って取り組めるゲームおよび当該ゲーム用機器を開発することはできないだろうか。
【００１０】
そこで、本発明は、様々な目的に応じた異なるルールで楽しむことができ、広く人々の福祉向上に貢献するゲーム用機器を提供することを目的とする。
【課題を解決するための手段】
【００１１】
本発明は、上記の目的に鑑みて想到されたものであり、
床面上に配置された状態で、上面から床面方向に向かう凹みを形成する凹み部を複数有する遊技用マットであって、
前記複数の凹み部の各々は、当該凹み部の上に所定の特性を備えたボールを静止状態で保持可能であり、かつ当該凹み部の上に静止状態で保持されている当該所定の特性を備えた一のボールが当該所定の特性を備え当該遊技用マット上を所定速度以上で転がり移動している他のボールと衝突した場合、当該一のボールが当該他のボールから受ける力により当該一のボールが当該凹み部の外に転がり移動することを許容する形状を備える
遊技用マットを提供する（第１の実施態様）。
【００１２】
また、上記の第１の実施態様において、
前記遊技用マットは上方からみて長方形であり、
前記複数の凹み部は、前記遊技用マットの長手方向の一方の端部を含む所定領域であるターゲット部上に配置され、
前記ターゲット部は、前記一方の端部から、前記遊技用マットの長手方向の他方の端部に向けて、床面に対しマイナスの勾配の傾斜を有する
構成を採用してもよい（第２の実施態様）。
【００１３】
また、上記の第２の実施態様において、
前記ターゲット部の傾斜の勾配を調整する勾配調整機構を備える
構成を採用してもよい（第３の実施態様）。
【００１４】
また、上記の第２または３の実施態様において、
前記遊技用マットの外縁部のうち前記ターゲット部の外縁部を構成する部分から上方に延伸し、前記遊技用マットの内側から外側に向けて前記所定の特性を備えたボールが所定の速度以下で転がり出ることを防止するガードを備える
構成を採用してもよい（第４の実施態様）。
【００１５】
また、上記の第２乃至４のいずれかの実施態様において、
前記ターゲット部は、前記ターゲット部の外縁部のうち前記遊技用マットの外縁部の一部を構成する部分から前記ターゲット部の内側に向けて、床面に対しマイナスの勾配の傾斜を有する傾斜部を備える
構成を採用してもよい（第５実施態様）。
【００１６】
また、上記の第１乃至５のいずれかの実施態様において、
前記複数の凹み部の各々に関し、当該凹み部の外周上端から、当該凹み部の中心から見て外側に向かいプラスの勾配で傾斜し、前記遊技用マットの上面と連続する勾配部を備える
構成を採用してもよい（第６の実施態様）。
【００１７】
また、上記の第１乃至６のいずれかの実施態様において、
前記複数の凹み部の数は９つであり、当該９つの凹み部の各々の中心は、互いに等間隔で配置された３本の平行線と、当該３本の平行線に対し垂直に交わる互いに等間隔で配置された他の３本の平行線との交点に各々配置されている
構成を採用してもよい（第７の実施態様）。
【００１８】
また、上記の第１乃至７のいずれかの実施態様において、
前記遊技用マットの上面のうち、前記複数の凹み部を除く部分が、前記所定の特性を備えたボールが転がる速度を抑制するための人工芝またはラシャで覆われている
構成を採用してもよい（第８の実施態様）。
【発明の効果】
【００１９】
本発明の第１の実施態様にかかる遊技用マットによれば、凹み部に静止状態で保持されている一のボールが、転がってきた他のボールによってビリヤード様に当該凹み部からはじき出されるようなゲームの展開があり得るため、ゴルフのような楽しみ方やビリヤードのような楽しみ方に加え、カーリングのような楽しみ方も可能であり、それらの複合によりルールを無数に設定できる。その結果、様々な目的に応じた遊技が可能となる。
【００２０】
また、本発明の第２の実施態様にかかる遊技用マットによれば、ターゲット部が床面に対して傾斜しているので、転がしたボールが傾斜を上りながら凹み部を一端通過した後に、傾斜を下りながら凹み部に入るなど、遊技の複雑性が増す。また、ボールが凹み部に入らなかった場合、当該ボールがターゲット部に滞留することなく適切な場所に転がり出るので、スムーズなゲームの進行を楽しむことができる。
【００２１】
また、本発明の第３の実施態様にかかる遊技用マットによれば、ターゲット部の傾斜の勾配を調整する勾配調整機構を備えるので、ゲームの難易度を容易に調整することが可能である。
【００２２】
また、本発明の第４の実施態様にかかる遊技用マットによれば、所定の特性を備えたボールが所定の速度以下で移動している場合にはターゲット部から転がり出ることを防止するガードをターゲット部上に備えるので、転がしたボールが容易に当該ターゲット部からこぼれ落ちてしまうことが防がれ、より気軽にゲームを堪能することができる。
【００２３】
また、本発明の第５の実施態様にかかる遊技用マットによれば、ターゲット部が傾斜部を備えるので、転がしたボールが凹み部に入りやすくなり、より気軽にゲームを楽しむことができる。
【００２４】
また、本発明の第６の実施態様にかかる遊技用マットによれば、各々の凹み部に関して勾配部が設けられているので、ボールが当該凹み部からはじき出され易くなり、よりエキサイティングなゲームを楽しむことができる。
【００２５】
また、本発明の第７の実施態様にかかる遊技用マットによれば、９つの凹み部が適切な位置に設けられているので、例えばビンゴに似たルールを設ける等して頭を使った楽しみ方もできる。
【００２６】
また、本発明の第８の実施態様にかかる遊技用マットによれば、遊技用マットの上面の所定領域が人工芝またはラシャで覆われているので、転がしたボールのスピードが適度に抑制され、より快適にゲームを楽しむことができる。
【図面の簡単な説明】
【００２７】
【図１】図１は、本発明の本実施形態にかかる遊技用マットの平面図である。
【図２】図２は、本発明の本実施形態にかかる遊技用マットの線矢視断面図である。
【図３】図３は、本発明の本実施形態にかかる遊技用マットの線矢視断面図である。
【図４】図４は、本発明の本実施形態にかかる遊技用マットの線矢視断面図の拡大図である。
【発明を実施するための形態】
【００２８】
（実施形態）
以下、本発明の具体例である実施形態を、図面を用いて説明する。なお、本実施形態にかかる遊技用マット１は、ゴルフボールを使った特定の種類のゲームを行うのに適したマットである。また、ゲームの具体的なやり方およびルールについては、後述する。
【００２９】
図１は、本実施形態にかかる遊技用マット１の平面図である。遊技用マット１は、細長い長方形状を有し、当該長方形の長手方向の一端付近に、正方形状のターゲット部１１を備える。
【００３０】
遊技用マット１は、ターゲット部１１以外に、ターゲット部１１上に設けられた９か所の凹み部１２と、ターゲット部１１上の端の部分において凹み部１２の三方を取り囲むように設けられたガード１３と、凹み部１２の内側以外の当該遊技用マット１上の全面に設けられた人工芝１４と、ゴルフボールを転がす始点を示すための１８個の目印１５とを備えている。
【００３１】
遊技用マット１の長方形は、長手方向の長さが２７０センチメートルであり、当該長手方向と垂直な方向の長さが６０センチメートルである。遊技用マット１は、一般のゴルフパター練習用のマットと同様にゴム製等が好適であるが、本発明はこれによって限定されるものではない。また、遊技用マット１の厚みは、１センチメートル以上かつ３センチメートル以下が好適であるが、この数値によっても本発明は限定されるものではない。
【００３２】
ターゲット部１１は、遊技用マット１の細長い長方形状の長手方向の一端を一辺とする６０センチメートル×６０センチメートルの正方形の部分であり、その上面に凹み部１２およびガード１３が備えられている。
【００３３】
図２は、図１の遊技用マット１の平面図におけるＡ−Ａ線矢視断面図である。
【００３４】
図２に示されるように、ターゲット部１１は、遊技用マット１を床面上に配置した状態で横からみた場合において、遊技用マット１のターゲット部１１以外の部分との接続部分に対向する端部から、その接続部分に向かい、マイナスの勾配の傾斜を有している。
【００３５】
この勾配があることにより、転がしたゴルフボールがターゲット部１１上で滞留することなしに、凹み部１２に転がり込むか、もしくは適切な場所、すなわち手前の部分に転がり出すこととなり、ゲームの進行上便利である。また、当該傾斜の勾配によって、ゲームの難易度も変わってくるため、様々なユーザの好みに対応することが可能である。
【００３６】
本実施形態における勾配は場所によらず上側に向って１５°であるが、上述の目的を果たすという趣旨から当該勾配は５°以上かつ４５°以下が望ましい。ただし、これらの数値によって、本発明が限定されるものではない。また、ターゲット部１１上の場所によって勾配の大きさ、すなわち角度を変えてもよい。
【００３７】
さらに、ターゲット部１１の勾配の大きさ、すなわち角度を可変として、適宜ゲームの進行上都合の良い勾配を設定してもよい。このためには何らかの勾配調整機構が必要となるが、そのような勾配調整機構の一例として、リクライニング機能を備えた椅子に採用されている連続的もしくは段階的に角度を可変とする機構が考えられる。ただし、これによって本発明が限定されるものではない。
【００３８】
ガード１３は、ゲームにおいて転がしたゴルフボールが遊技用マット１の外側にこぼれないようにするためのものであるとともに、ガード１３にぶつかったゴルフボールが跳ね返って凹み部１２に転がり込み易くなるという効果も有する。具体的には、ガード１３は、ターゲット部１１における三方の端において、９つの凹み部１２を取り囲むように遊技用マット１の長手方向の一端の横方向に６０センチメートルおよびそれと連続する両側面の縦方向にそれぞれ６０センチメートル連結して設けられている。
【００３９】
すなわち、ガード１３は、遊技用マット１の外縁部のうちターゲット部１１の外縁部を構成する部分から上方に延伸し、遊技用マット１の内側から外側に向けてゴルフボールが容易に転がり出ることを防止するものである。
【００４０】
なお、ガード１３のターゲット部１１の幅、すなわち平面と平行な方向の厚みは３．３センチメートルであり、高さは２．５センチメートルである。
【００４１】
ガード１３は、合成樹脂製であるが、やや硬めのスポンジ状の素材であればゴム等であってもよいし、もしくはゴルフボールがこぼれないようにするという目的が果たせるならば木製や金属製等であってもよい。
【００４２】
図３は、図１の遊技用マット１の平面図におけるＢ−Ｂ線矢視断面図である。
【００４３】
図２および図３に示されるように、ターゲット部１１は、ガード１３が設けられている外縁部からターゲット部１１の内側に向けて、凹み部１２に至る領域において、マイナスの傾斜を有する傾斜部１１１が設けられている。
【００４４】
この傾斜部１１１があることにより、ゴルフボールは凹み部１２に入り易くなる。傾斜部１１１は、ターゲット部１１の平面と垂直な方向からみたときのターゲット部１１の外縁部からターゲット部１１の内側に向かう方向の長さが３センチメートルであり、かつその傾斜の勾配がマイナス１０°である。これらの長さもしくは傾斜の勾配が適切なものでないと、いとも簡単にゴルフボールが凹み部１２に転がり込んでしまうこととなり、ゲームがつまらなくなりかねない。したがって、これらの長さおよび傾斜の勾配の設定には、十分な注意を払うことが必要である。
【００４５】
図４は、図３のＢ−Ｂ線矢視断面図の拡大図である。
【００４６】
９つの凹み部１２は、例えばゴルフのカップのように、ゲームにおいて転がされたゴルフボールを受け止めるためのものであり、図４に示されるように、直径５．５センチメートルで深さ２．５ミリメートルの円筒形状を有している。
【００４７】
すなわち、凹み部１２の形状は、凹み部１２の上（すなわち、窪んだところの内側部分の上）にゴルフボールを静止状態で保持可能であり、かつ凹み部１２の上に静止状態で保持されている一のゴルフボールが転がってきた他のゴルフボールと衝突した場合、当該一のゴルフボールが当該他のゴルフボールから受ける力により当該一のゴルフボールが凹み部１２の外に転がり移動することを許容する形状である。
【００４８】
具体的には、凹み部１２が上述のような形状を有することにより、あるプレーヤーが転がしたゴルフボールがいったん凹み部１２に入ってそこにうまく留まったにもかかわらず、ビリヤードやカーリングの様に、そのゴルフボールが他のプレーヤーが転がしたゴルフボールによって凹み部１２からはじき出されるようなゲームの展開があり、エキサイティングである。
【００４９】
また、９つの凹み部１２は、ターゲット部１１において、互いに等間隔で配置された３本の平行線と、当該３本の平行線に対し垂直に交わる互いに等間隔で配置された他の３本の平行線との交点上にその中心が位置するように配置されている。
【００５０】
以下に、遊技用マット１上における凹み部１２および目印１５の位置につき詳細に説明する。なお、実際には上述したようにターゲット部１１は床面に対し傾斜を有しているが、以下の説明における各々の長さは、ターゲット部１１の傾斜をなくした場合に測定される長さである。
【００５１】
まず、図１に示されるように、ガード１３が設けられている側の一端を左側にし、遊技用マット１の細長い長方形を横に細長くして床に配置し上からみたとして、当該長方形の左下の角の点を原点とするＸＹ座標系を遊技用マット１の平面上に配置する。続いて、原点から右方向をＸ座標のプラス方向、原点から上方向をＹ座標のプラス方向とする。
【００５２】
９つの凹み部１２の各々を凹み部１２−１〜９とした場合、それらの中心は上記のＸＹ座標系において以下のとおり（ただし、単位はセンチメートル）である。
凹み部１２−１：点（１６．１，１６．１）、
凹み部１２−２：点（１６．１，３０．０）、
凹み部１２−３：点（１６．１，４３．９）、
凹み部１２−４：点（３０．０，１６．１）、
凹み部１２−５：点（３０．０，３０．０）、
凹み部１２−６：点（３０．０，４３．９）、
凹み部１２−７：点（４３．９，１６．１）、
凹み部１２−８：点（４３．９，３０．０）、
凹み部１２−９：点（４３．９，４３．９）。
【００５３】
そして、遊技用マット１上におけるＸ座標が４５センチメートルのラインを以下、カップラインＬと呼ぶことにする。なお、カップラインＬは、図１には図示されているが実際の遊技用マット１上には図示されない。
【００５４】
ターゲット部１１には、図４に示されるように、各々の凹み部１２の外周から外側に向かう領域にプラスの勾配を有する勾配部１１２が設けられている。すなわち、勾配部１１２は、９つの凹み部１２の各々に関し、凹み部１２の外周上端から凹み部１２の中心からみて外側に向かいプラスの勾配で傾斜し、遊技用マット１の上面と連続するものである。
【００５５】
この勾配部１１２があることにより、ゴルフボールが凹み部１２に転がり込み易くなっているのである。さらに、勾配部１１２の存在により、凹み部１２に静止状態で保持されている一のゴルフボールが、転がってきた他のボールによってビリヤードやカーリングの様に凹み部１２からはじき出され易くなり、ゲームの展開がエキサイティングになり得る。
【００５６】
勾配部１１２は、ターゲット部１１の平面に対し垂直な方向からみたときにドーナッツ状の形状を有することになる。勾配部１１２は、ターゲット部１１の平面に対し垂直な方向からみたときに、その幅、すなわち凹み部１２の中心から外側への方向の長さが１．１センチメートルであり、かつその傾斜の勾配が３０°である。これらの長さもしくは傾斜の勾配が適切なものでないと、いとも簡単にゴルフボールが凹み部１２に転がり込んでしまったり、ゴルフボールが十分に凹み部１２に留まらなくなったりして、ゲームがつまらなくなりかねない。したがって、これらの長さおよび傾斜の勾配の設定には、十分な注意を払うことが必要である。
【００５７】
なお、凹み部１２−７、凹み部１２−８および凹み部１２−９を取り囲む各々の勾配部１１２の外縁は、カップラインＬに接しているような位置関係となる。
【００５８】
ゲームの便宜上、Ｘ座標が１４５センチメートルの位置には、プレーヤーから容易に目視可能なラインが引かれている。このラインは、カップラインＬから右側に１メートルの距離のラインとなるため、以下、「１メートルライン」と呼ぶ。同様に、Ｘ座標が２４５センチメートルの位置には、プレーヤーから容易に目視可能な「２メートルライン」が引かれている。
【００５９】
さらに、ゲームの進行上、ゴルフボールを転がし始める始点の位置が１８か所決まっている。以下、具体的に説明する。カップラインＬから右に５０センチメートルの位置のライン、すなわちＸ座標が９５センチメートルのラインをＡラインとする。同様に、カップラインＬから右に８０センチメートルの位置のラインをＢライン、カップラインＬから右に１２０センチメートルの位置のラインをＣライン、カップラインＬから右に１５０センチメートルの位置のラインをＤラインとする。Ａ、Ｂ、ＣおよびＤのラインの位置には、上述の１メートルラインおよび２メートルラインと同様に、プレーヤーから容易に目視可能なラインが引かれている。
【００６０】
また、実際には遊技用マット１上に描かれていないが、以下の説明において、Ａラインから２メートルラインまでの範囲内で、Ｙ座標が１６．１センチメートルのラインを１のライン、同様に、Ｙ座標が３０センチメートルのラインを２のライン、Ｙ座標が４３．９センチメートルのラインを３のラインと呼ぶ。
【００６１】
図１でみて、左から順番にＡライン、Ｂライン、１メートルライン、Ｃライン、Ｄのラインおよび２メートルラインと、下から順番に１のライン、２のラインおよび３のラインとの交点の１８か所に、目印１５が設けられている。それらの１８個の目印１５をそれぞれ以下のように定義する。
【００６２】
Ａラインと１のラインの交点：目印１５−Ａ１、
Ａラインと２のラインの交点：目印１５−Ａ２、
Ａラインと３のラインの交点：目印１５−Ａ３、
Ｂラインと１のラインの交点：目印１５−Ｂ１、
Ｂラインと２のラインの交点：目印１５−Ｂ２、
Ｂラインと３のラインの交点：目印１５−Ｂ３、
１メートルラインと１のラインの交点：目印１５−１１、
１メートルラインと２のラインの交点：目印１５−１２、
１メートルラインと３のラインの交点：目印１５−１３、
Ｃラインと１のラインの交点：目印１５−Ｃ１、
Ｃラインと２のラインの交点：目印１５−Ｃ２、
Ｃラインと３のラインの交点：目印１５−Ｃ３、
Ｄラインと１のラインの交点：目印１５−Ｄ１、
Ｄラインと２のラインの交点：目印１５−Ｄ２、
Ｄラインと３のラインの交点：目印１５−Ｄ３、
２メートルラインと１のラインの交点：目印１５−２１、
２メートルラインと２のラインの交点：目印１５−２２、
２メートルラインと３のラインの交点：目印１５−２３。
【００６３】
人工芝１４は、遊技用マット１上において凹み部１２の内側以外の部分の全面に設けられており、ゴルフボールが転がるスピードを抑制する役割を果たす。したがって、人工芝１４の芝部分の長さは適切な長さとすることが必要であり、本実施形態においては６ミリメートルとしている。
【００６４】
なお、このような人工芝１４が設けられていることにより、ゴルフボールの転がり方を考えて通常以上に頭を使ったパッティング等をする必要があり、ゲームの楽しさが倍増する。
【００６５】
上述した実施形態は本発明の技術的思想の範囲内で様々に変形可能である。
【００６６】
例えば、凹み部１２は上述のような位置に９か所あるものとしたが、数は９か所に限られない。後述するようなゲームを楽しむことができれば、４か所、１６か所など、他の数が採用されてもよい。
【００６７】
また、遊技用マット１の長方形は、長手方向の長さが２７０センチメートルであり、当該長手方向と垂直な方向の長さが６０センチメートルであるとしたが、ゲームの性質上、長手方向の長さが２５０センチメートル以上かつ３００センチメートル以下が望ましく、また当該長手方向と垂直な方向の長さが４０センチメートル以上かつ７０センチメートル以下が望ましい。
【００６８】
また、ガード１３は、幅が３．３センチメートルで高さが２．５センチメートルであるとしたが、本発明はこれらの数値によって限定されるものではなく、また特に問題を感じなければガード１３そのものが無くてもよい。ただし、経験上、幅が３センチ以上かつ４センチメートル以下であり、また高さが２センチメートル以上かつ３センチメートル以下が望ましい。
【００６９】
また、ターゲット部１１上のガード１３の内側において傾斜部１１１が設けられるとしたが、ゲームの進行上特に問題を感じなければ、傾斜部１１１は無くてもよい。ただし、経験上、傾斜部の傾斜の勾配は、もっともきつい傾斜においてマイナス２０°以上かつマイナス５°以下が望ましい。さらに、傾斜部１１１はターゲット部１１の平面に対し垂直な方向からみたときにターゲット部１１の外縁部から内側に向かう方向の長さが３センチメートルであるとしたが、経験上、当該長さは２センチメートル以上かつ１０センチメートル以下が望ましい。
【００７０】
また、９つの凹み部１２は直径５．５センチメートルで深さ２．５ミリメートルの円筒形状であるとしたが、ゲームの性質上、９つの凹み部１２の各々の直径が５センチメートル以上かつ６センチメートル以下であり、また深さが２ミリメートル以上かつ３ミリメートル以下であることが望ましい。また、９つの凹み部１２は、転がしたゴルフボールを受け止めるという目的が果たせるならば、円筒形状でなくとも中空の四角柱形状もしくは中空の三角柱形状等であってもよい。
【００７１】
また、ターゲット部１１の、９つの凹み部１２の外周部の外側の領域に、上からみてドーナッツ形状の勾配部１１２が設けられるとしたが、ゲームの進行上特に問題を感じなければ、勾配部１１２は無くてもよい。ただし、経験上、勾配部１１２の傾斜の勾配は７°以上かつ４０°以下であることが望ましい。さらに、勾配部１１２を上から見たときの幅は１．１センチメートルであるとしたが、この幅は１センチメートル以上かつ２センチメートル以下であることが望ましい。
【００７２】
また、遊技用マット１上において凹み部１２の内側以外の部分の全面に人工芝１４が設けられているとしたが、ゲームの進行上問題が無ければ人工芝１４は無くてもよい。なお、人工芝１４の芝部分の長さは６ミリメートルであるとしたが、ゴルフボールが転がるスピードを抑制するという目的から当該長さは６ミリメートル以上かつ１０ミリメートル以下であることが望ましい。さらに、人工芝でなくとも、突起を設けた合成樹脂製の素材を用いる等、他の構造を採用して上述の目的を果たしてもよい。
【００７３】
また、人工芝等の代わりにビリヤード台の上面に設けられているようなラシャを貼ることによって、上述の目的を果たしてもよい。
【００７４】
また、上述の実施形態においては、遊技用マット１は細長い長方形状であるとしたが、それ以外の形状を採用する方が便利な場合がある。例えば、円形状の遊技用マット１の中心付近に複数の凹み部１２を設けて、当該円形の外縁付近の複数の位置もしくは方向からボールを転がすような場合である。そのような構成とすれば、複数のプレーヤーが当該円形を取り囲んだ状態で、プレーヤー自身があまり移動せずに自分の近くの決められた位置もしくは場所からボールを転がすことが可能となる。
【００７５】
上述した実施形態にかかる遊技用マット１の各部のサイズ、角度、位置等を示す数値は本発明の好適な一例を示したものであって、本発明がこれらの数値により限定されるものではない。例えば、上述した実施形態の遊技用マット１はゴルフボールを転がして遊技を行う際に用いられることが想定されてそれらの数値が選択されており、ゴルフボールとは異なるサイズや材質等のボールを遊技に用いる場合には、当然ながら上述した遊技用マット１とはサイズ等が異なる遊技用マットが用いられることが望ましい。そのようなサイズ等が異なる遊技用マットも、本発明の技術的思想の範囲内に入るものである。
【産業上の利用可能性】
【００７６】
本発明にかかる遊技用マットによれば、男女もしくは年齢を問わず、また身体に障害を持つか否かにかかわらず、様々なプレーヤーがレクリエーションとしてゲームを楽しむことができ、様々なシチュエーションにおいて心身の健全な成長や人間関係の構築等に役立つことが期待される。
【００７７】
以下に、本発明にかかる遊技用マットの意義の理解を助けるために、本発明にかかる遊技用マットを用いたゲームの例につき、そのやり方およびルールを説明する。
【００７８】
上述の遊技用マット１を用いたゲームは、大きく分けて「カウントゲーム」、「ポイントゲーム」、「ビンゴゲーム」、「バトルゲーム」および「ゴルフゲーム」と呼ばれる５つのゲームのパターンを有する。もちろん、それ以外のゲームを考案することも自由である。
【００７９】
そして、それぞれのゲームにおいて、ゴルフボールに対し初速を与える方法（ボールの転がし方）の違いによって、やはり大きく分けて「パルール」、「ビリール」および「スロール」という３つのパターンがある。
【００８０】
したがって、５つのゲームと３つのボールの転がし方とにより、１５種類のゲームのバリエーションができる。もちろん、それ以外のゲームのバリエーションを考案することも自由である。
【００８１】
具体的には、「パルール」は、例えばゴルフのパターで打ってゴルフボールを遊技用マット１上の所望の向きへと転がす。「ビリール」は、例えばビリヤードのキューで撞いてゴルフボールを遊技用マット１上の所望の向きへと転がす。「スロール」は、ゴルフボールを手で握った状態で投げて遊技用マット１上の所望の向きへと転がす。なお、「スロール」では、ゴルフボールを、ソフトボールの下投げの要領で放つ場合と、肘を外側に向けた状態で体の正面から前に押し出すようにして放つ場合とがある。
【００８２】
なお、「パルール」においては、片手でパターを握ってゴルフボールを打つことも可能であり、「ビリール」においては、適切な位置にキューを支える専用ホルダーを配置することにより、やはり片手でプレイすることが可能である。また、「スロール」は、パターやキューを使用することが困難な幼児もしくは体の不自由な方もプレイが可能である。
【００８３】
上述の５つのゲームの主たる目的は、所定の位置もしくは場所からゴルフボールを９つの凹み部１２のいずれかの方向へ転がして、例えばゴルフのように凹み部１２の中にゴルフボールを転がし入れることによって得点を獲得する、もしくは勝敗を競うということである。以下にさらに具体的に説明する。
【００８４】
「カウントゲーム」は、１２球のゴルフボールを順番にパッティング等して、最終的に９つの凹み部１２のいずれかに入っているゴルフボールの数で競うゲームである。
【００８５】
「ポイントゲーム」は、６球もしくは１２球のゴルフボールを順番にパッティング等して、最終的にゴルフボールが入った凹み部１２のそれぞれに関して決められていた得点（ポイント数）の合計によって競うゲームである。この場合、９つの凹み部１２のそれぞれの得点（ポイント数）をどのようにして決めるかが問題となるが、例えば１から９までのポイントが書かれた直径５．５センチメートルの円形の薄いプラスチック製のポイントカードを、ポイントが書かれている側を表として予め９つの凹み部１２にランダムに配置しておく方法がある。あるいは、予めポイントカードのポイントが書かれている側を裏向きにしてランダムに９つの凹み部１２に配置しておけば、ゲーム終了後にポイント数の合計が分かることとなり、ゲームの勝敗に偶然性が加味されるため、ゲームが一層盛り上がる。
【００８６】
「ビンゴゲーム」は、原則として１２球のゴルフボールを順番にパットして、最終的に凹み部１２に入ったゴルフボールで完成させたビンゴの数で競うゲームである。すなわち、完成させた縦、横もしくは斜めのビンゴの数が多いほどよいわけである。
【００８７】
「バトルゲーム」は、個人戦もしくは団体戦の競技であり、片方の個人もしくはチームが転がすゴルフボールの数は６球である。１チーム１人（シングルス）の場合は１人の持ち球が６球であり、１チーム２人（ダブルス）の場合は１人の持ち球が３球であり、１チーム３人（トリプルス）の場合は１人の持ち球が２球である。各チームが交互にゴルフボールを転がしていき、最終的に凹み部１２に入っていたゴルフボールの数が多い方のチームを勝ちとする。
【００８８】
「ゴルフゲーム」は、ゴルフで使用されるようなスコアカードに基づいて行われるゲームである。ゴルフのホールに類似のものとして、このゲームは１８のプレイにより構成される。第１プレイから第９プレイ（ゴルフの第１ホールから第９ホールに相当）までのアウトと、第１０プレイから第１８プレイまでのイン（ゴルフの第１０ホールから第１８ホールに相当）とに分かれていて、プレイ毎に、ゴルフボールを転がし始める始点の位置および基準となるパット、ショットもしくはスローの数（パーの数）が指定されている。プレーヤーは第１プレイから第１８プレイへと順に、ゴルフボールがいずれかの凹み部１２に入るまで、指定された場所もしくは位置からゴルフボールを転がす動作を繰り返す。ただし、最大の球数はパーの数＋２（ダブルボギー）までとする。勝敗は、全ホールに要した球数の合計数が少ない方を勝者とする。
【００８９】
なお、上述のゴルフボールを転がし始める所定の位置とは、「パルール」もしくは「ビリール」において、転がす前のゴルフボールを置く位置（遊技用マット１上の目印１５の１８か所のいずれかの位置）のことであり、所定の場所とは、「スロール」において、ゴルフボールをプレーヤーが投げる時に超えてはならないライン（１メートルラインもしくは２メートルライン）より手前の領域のことである。
【００９０】
なお、上述したルールに加え、実際には様々な詳細なルールが設けられている。例えば、既に一の凹み部１２に一のゴルフボールが入っているところに、後から転がしたゴルフボールがぶつかる等してその影響で先に入っていたゴルフボールが転がり出てしまった場合や、もしくは先に凹み部１２に入っていたゴルフボールと後から転がしたゴルフボールが二つ同時に同じ凹み部１２に入ったしまった場合、それらをゲームの勝敗上、どのように取り扱うか、といった点についてもルールが必要となるが、本明細書におけるそれらの説明は省略する。
【符号の説明】
【００９１】
１…遊技用マット、１１…ターゲット部、１１１…傾斜部、１１２…勾配部、１２…凹み部、１３…ガード、１４…人工芝、１５…目印
【図１】
2011036512.tif 000003
【図２】
2011036512.tif 000004
【図３】
2011036512.tif 000005
【図４】
2011036512.tif 000006